(57)【要約】【課題】  監視制御システムに異常が発生した場合にセキュリティを確保して速やかに、効率よく異常処置ができる監視制御システム、監視制御装置及びその現場操作端末、同システムの異常監視方法を提供することを目的とする。【解決手段】  監視制御装置１Ａは、ＩＤ番号を記憶した第１の無線タグ７信号を検出する第１の無線タグ読み取り部１７と、無線タグ読み取り部の検出信号を認証処理する認証処理部１４ａと、第１の無線タグ信号が検出されない場合、通報先に通報する通報先処理部１４ｂと、異常を検出した場合、通報先に送信し、操作員ＩＤ番号を端末２１ａから受信したときに、この操作員ＩＤ番号を認証し、異常情報を送信する異常処理部１４ｃとを備え、端末は、返信された異常情報を表示させる。【選択図】  図１
2007299228.tif 000002
【特許請求の範囲】
【請求項１】
プラントを監視制御する監視制御装置と、前記監視制御装置とネットワークで接続される端末とからなる監視制御システムであって、
前記監視制御装置は、監視制御情報を表示させ、監視制御の操作を行なう表示操作制御手段と、
前記監視制御装置を操作する操作員が携帯する第１の無線タグと、
前記第１の無線タグのＩＤ番号を読み取る第１の無線タグ読み取り手段と、
前記監視制御システムの操作機能に対する操作権と前記第１の無線タグのＩＤ番号とを対応付けて予め記憶した第１の操作員登録ファイルを参照して、前記第１の無線タグ読み取り手段で読み取られた前記第１の無線タグのＩＤ番号を認証し、操作権の有無を判定する第１の認証処理手段と、
前記第１の認証処理手段で操作権が無いと判定された場合、予め通報先を記憶した通報先登録ファイルを参照して、通報先に通報する通報先処理手段と、
前記監視制御システムの操作機能に対する操作権と操作員ＩＤ番号とを対応付けて予め記憶した第２の操作員登録ファイルを参照して、前記端末から送信された操作員ＩＤ番号を認証し、操作権の有無を判定する第２の認証処理手段と、
前記第２の認証処理手段で操作権が有ると判定された場合、前記監視制御を前記端末に送信するネットワークを含む情報送信処理手段とを
備えたことを特徴とする監視制御システム。
【請求項２】
前記監視制御システムは、前記ネットワークに接続され、予め登録される緊急支援操作員登録ファイルを有する監視センターサーバを備え、
前記監視センターサーバは、前記監視装置から異常発生時の通報を受信し、この異常情報が予め登録された緊急派遣要請通知である場合に、前記緊急支援操作員登録ファイルを参照して、その通報先に送信するようにしたことを特徴とする請求項１に記載の監視制御システム。
【請求項３】
前記監視制御システムは、前記ネットワークに接続される勤務管理サーバを備え
前記監視制御装置は、前記表示操作制御手段から交代信号の入力があり、且つ、前記ＩＤ番号が認証されたことで前記操作員の交代を検知する前記第１の認証処理手段と、
前記認証処理手段から前記操作員の交代を受信して、交代前の前記操作員が運転した期間の異常情報を、操作権を有する前記操作員が操作した前記表示操作制御手段の操作画面の操作履歴を操作員別に記憶する操作員別画面履歴情報ファイルを参照して、時系列に前記異常情報を含む前記操作画面を表示させる前記表示操作制御手段とを
備えたことを特徴とする請求項１に記載の監視制御システム。
【請求項４】
前記監視制御システムは、第２の無線タグ読み取り手段と、前記監視制御装置から送信される前記監視制御情報の表示手段と、前記プラントの操作手段とを有する前記プラントを操作する現場操作端末を備え、
前記現場操作端末は、前記第２の無線タグ読取手段で読み取った前記ＩＤ番号を前記監視制御装置に送信し、前記監視制御装置は該ＩＤ番号を、前記第１の操作員登録ファイルを参照して認証し、異常情報を含む前記監視制御情報を前記現場操作端末に送信するようにしたことを特徴とする請求項１に記載の監視制御システム。
【請求項５】
前記監視制御システムは、前記プラントの操作権の優先度を設定する機器操作権設定手段と、
第２の無線タグ読み取り手段と、前記監視制御装置から送信される前記監視制御情報の表示手段と、前記プラントの操作手段とを有する前記プラントの現場操作端末とを
備え、
前記現場操作端末は、前記第２の無線タグ読取手段で読み取ったＩＤ番号を前記監視制御装置に送信し、前記監視制御装置は該ＩＤ番号を、前記第１の操作員登録ファイルを参照して認証し、異常情報を含む前記監視制御情報を前記現場操作端末に送信するとともに前記プラントの操作権を現場操作端末に設定するようにしたことを特徴とする請求項１に記載の監視制御システム。
【請求項６】
前記監視制御システムは、
前記ネットワークに接続され、前記プラント機器の保守情報を記憶する保守サーバと、
前記保守管理サーバは、前記第２の認証処理手段で操作権が有ると判定された場合、前記端末から送信要求される前記プラント機器の保守データを送信することを特徴とする請求項１に記載の監視制御システム。
【請求項７】
プラントを監視制御する監視制御システムの監視制御装置であって、
監視制御情報を表示させ、監視制御の操作を行なう表示操作制御手段と、
前記監視制御装置を操作する操作員が携帯する第１の無線タグと、
前記第１の無線タグのＩＤ番号を読み取る第１の無線タグ読み取り手段と、
前記監視制御システムの操作機能に対する操作権と前記第１の無線タグのＩＤ番号とを対応付けて予め記憶した第１の操作員登録ファイルを参照して、前記第１の無線タグ読み取り手段で読み取られた前記第１の無線タグのＩＤ番号を認証し、操作権の有無を判定する第１の認証処理手段と、
前記第１の認証処理手段で操作権が無いと判定された場合、予め通報先を記憶した通報先登録ファイルを参照して、通報先に通報する通報先処理手段と、
前記監視制御システムの操作機能に対する操作権と操作員ＩＤ番号とを対応付けて予め記憶した第２の操作員登録ファイルを参照して、前記監視制御装置の端末から送信された操作員ＩＤ番号を認証し、操作権の有無を判定する第２の認証処理手段と、
前記第２の認証処理手段で操作権が有ると判定された場合、前記監視制御情報を前記端末に送信する情報送信処理手段とを
備えたことを特徴とする監視制御装置。
【請求項８】
前記監視制御装置は、前記プラント機器の操作権の優先度を設定する機器操作権設定手段を備えことを特徴とする請求項７に記載の監視制御装置。
【請求項９】
プラントを監視制御する監視制御装置のプラント機器の現場操作端末であって、
前記現場操作端末は、無線タグ読み取り手段と、監視制御システムの監視制御情報の表示手段と、前記プラント機器の操作手段とを備え、
前記第２の無線タグ読取手段で読み取ったＩＤ番号を前記監視制御装置に送信し、前監視制御装置は、該ＩＤ番号を、前記第１の操作員登録ファイルを参照して認証し、異常情報を含む前記監視制御情報を前記現場操作端末に送信するとともに、前記プラント機器の操作権を現場操作端末として設定するようにしたことを特徴とする現場操作端末。
【請求項１０】
プラントの監視制御を行なう監視制御装置と、監視制御情報を表示させ、監視制御の操作を行なう表示操作制御手段とを有する監視制御システムの監視方法において、
前記監視制御装置を操作する操作員が携帯する第１の無線タグのＩＤ番号を読み取るステップと、
前記監視制御システムの操作機能に対する操作権と前記第１の無線タグのＩＤ番号とを対応付けて予め記憶した第１の操作員登録ファイルを参照して、前記第１の無線タグのＩＤ番号を認証し、操作権の有無を判定するステップと、
前記第１の無線タグのＩＤ番号に操作権が無いと判定された場合、予め通報先を記憶した通報先登録ファイルを参照して、通報先に通報するステップと、
前記監視制御システムの操作機能に対する操作権と操作員ＩＤ番号とを対応付けて予め記憶した第２の操作員登録ファイルを参照して、端末から送信された操作員ＩＤ番号を認証し、操作権の有無を判定するステップと、
前記操作員ＩＤ番号に操作権が有ると判定された場合、前記監視制御情報を前記端末に送信するステップとを備えたことを特徴とする監視制御システムの監視方法。
【発明の詳細な説明】
【技術分野】
【０００１】
本発明は、プラントの監視制御システムに係り、特に、監視制御システムの操作員が不在時に発生する異常を処理する監視制御システム、監視制御装置及びその現場操作端末、同システムの監視方法に関する。
【背景技術】
【０００２】
上下水道プラントや原子力発電プラントなどの大規模で公共性の高い監視制御システムにおいては、操作員が監視操作する監視画面などは多数あり、夫々の監視画面を操作する操作員は予め登録された操作員以外は、操作が禁止されるなど、セキュリティを確保した操作が保証され、操作のミスが重大事故に繋がらないような安全対策がなされている。
【０００３】
また、操作員の操作した内容は、事故発生時の責任の所在や事故対策のために操作履歴を記録するようにしている。
【０００４】
例えば、プラント機器を操作する操作員を識別する個人識別特定手段と、プラント機器の操作の許可、非許可を予め登録する個人データ登録手段とを備え、操作員が操作した操作要求が、この個人データ登録手段に登録された個人データに基づく操作要求であれば、そのプラント機器への操作指令を出力する技術が開示されている(例えば、特許文献１参照。)。
【０００５】
しかしながら、操作員の個人データを予め登録しても、許可された監視画面は多数あり、操作員毎の操作履歴を容易に取り出せない問題があるために、予め、操作員毎の操作員別操作画面記憶手段を備えて、操作員を自動識別すると同時に、識別された操作に対応する操作画面を自動表示させるマンマシンインタフェース装置が開示されている(例えば、特許文献２参照。)。
【特許文献１】特許第２９９４１０７号明細書（第１頁、図１）
【特許文献２】特開平１０−１４９２０７号公報（第１頁、図１）
【発明の開示】
【発明が解決しようとする課題】
【０００６】
しかしながら、特許文献２に開示されたマンマシンインタフェース装置では、監視制御システムに異常が発生した場合に、操作権を持つ操作員に通報する手段や、通報された操作員がその異常情報を入手して素早く操作する手段が無いため、異常に対してセキュリティを確保して、速やかに、効率よく対応できない問題がある。
【０００７】
本発明は、上記問題点を解決するためになされたもので、セキュリティを確保して、速やかに、効率よく監視制御システムの対応が可能な監視制御システム、監視制御装置及びその現場操作端末、同システムの監視方法を提供することを目的とする。
【課題を解決するための手段】
【０００８】
上記目的を達成するために、本発明に係る請求項１の監視制御システムは、プラントを監視制御する監視制御装置と、前記監視制御装置とネットワークで接続される端末とからなる監視制御システムであって、前記監視制御装置は、監視制御情報を表示させ、監視制御の操作を行なう表示操作制御手段と、前記監視制御装置を操作する操作員が携帯する第１の無線タグと、前記第１の無線タグのＩＤ番号を読み取る第１の無線タグ読み取り手段と、前記監視制御システムの操作機能に対する操作権と前記第１の無線タグのＩＤ番号とを対応付けて予め記憶した第１の操作員登録ファイルを参照して、前記第１の無線タグ読み取り手段で読み取られた前記第１の無線タグのＩＤ番号を認証し、操作権の有無を判定する第１の認証処理手段と、前記第１の認証処理手段で操作権が無いと判定された場合、予め通報先を記憶した通報先登録ファイルを参照して、通報先に通報する通報先処理手段と、前記監視制御システムの操作機能に対する操作権と操作員ＩＤ番号とを対応付けて予め記憶した第２の操作員登録ファイルを参照して、前記端末から送信された操作員ＩＤ番号を認証し、操作権の有無を判定する第２の認証処理手段と、前記第２の認証処理手段で操作権が有ると判定された場合、前記監視制御を前記端末に送信するネットワークを含む情報送信処理手段とを備えたことを特徴とする。
【０００９】
上記目的を達成するために、本発明に係る請求項７の監視制御装置は、プラントを監視制御する監視制御システムの監視制御装置であって、監視制御情報を表示させ、監視制御の操作を行なう表示操作制御手段と、前記監視制御装置を操作する操作員が携帯する第１の無線タグと、前記第１の無線タグのＩＤ番号を読み取る第１の無線タグ読み取り手段と、前記監視制御システムの操作機能に対する操作権と前記第１の無線タグのＩＤ番号とを対応付けて予め記憶した第１の操作員登録ファイルを参照して、前記第１の無線タグ読み取り手段で読み取られた前記第１の無線タグのＩＤ番号を認証し、操作権の有無を判定する第１の認証処理手段と、前記第１の認証処理手段で操作権が無いと判定された場合、予め通報先を記憶した通報先登録ファイルを参照して、通報先に通報する通報先処理手段と、前記監視制御システムの操作機能に対する操作権と操作員ＩＤ番号とを対応付けて予め記憶した第２の操作員登録ファイルを参照して、前記監視制御装置の端末から送信された操作員ＩＤ番号を認証し、操作権の有無を判定する第２の認証処理手段と、前記第２の認証処理手段で操作権が有ると判定された場合、前記監視制御情報を前記端末に送信する情報送信処理手段とを備えたことを特徴とする。
【００１０】
上記目的を達成するために、本発明に係る請求項９の監視制御装置の端末は、プラントを監視制御する監視制御装置のプラント機器の現場操作端末であって、前記現場操作端末は、無線タグ読み取り手段と、監視制御システムの監視制御情報の表示手段と、前記プラント機器の操作手段とを備え、前記第２の無線タグ読取手段で読み取ったＩＤ番号を前記監視制御装置に送信し、前監視制御装置は、該ＩＤ番号を、前記第１の操作員登録ファイルを参照して認証し、異常情報を含む前記監視制御情報を前記現場操作端末に送信するとともに、前記プラント機器の操作権を現場操作端末として設定するようにしたことを特徴とする。
【００１１】
上記目的を達成するために、本発明に係る請求項１０の監視制御システムの監視方法は、プラントの監視制御を行なう監視制御装置と、監視制御情報を表示させ、監視制御の操作を行なう表示操作制御手段とを有する監視制御システムの監視方法において、前記監視制御装置を操作する操作員が携帯する第１の無線タグのＩＤ番号を読み取るステップと、前記監視制御システムの操作機能に対する操作権と前記第１の無線タグのＩＤ番号とを対応付けて予め記憶した第１の操作員登録ファイルを参照して、前記第１の無線タグのＩＤ番号を認証し、操作権の有無を判定するステップと、前記第１の無線タグのＩＤ番号に操作権が無いと判定された場合、予め通報先を記憶した通報先登録ファイルを参照して、通報先に通報するステップと、前記監視制御システムの操作機能に対する操作権と操作員ＩＤ番号とを対応付けて予め記憶した第２の操作員登録ファイルを参照して、端末から送信された操作員ＩＤ番号を認証し、操作権の有無を判定するステップと、前記操作員ＩＤ番号に操作権が有ると判定された場合、前記監視制御情報を前記端末に送信するステップとを備えたことを特徴とする。
【発明の効果】
【００１２】
本発明によれば、監視制御システムは、セキュリティを確保して、対応が速やかに効率よく行える監視制御システム、監視制御装置及びその現場操作端末、同システムの監視方法を提供することができる。
【発明を実施するための最良の形態】
【００１３】
以下、図面を参照して、本発明の実施例を説明する。
【実施例１】
【００１４】
以下、本発明による実施例１について図１乃至図６を参照して説明する。図１は、例えば、浄水場等のプラント６Ａを監視制御するための監視制御システムの構成図である。
【００１５】
監視制御システムは、夫々の操作員が携帯する第１の無線タグ７、監視室等に設けられる監視制御装置１Ａ、ネットワーク４を介して監視制御装置1Ａと接続されプラント６Ａのプラント機器５１を制御する制御装置２、及びネットワーク４と接続される広域網２１を介して、この広域網２１に接続される監視制御装置１Ａの端末２１ａとからなる。
【００１６】
本実施例では、監視制御装置１Ａと制御装置２とをネットワーク４で接続した構成としているが、システムの規模によっては、これらを監視制御装置１Ａ内に一体として構成する場合もある。
【００１７】
次に、各部の構成について説明する。第１の無線タグ７（例えば、ＲＦＩＤタグ）は、この監視制御システムを構成する各部を操作するとともに、システムを視制御する操作員を認証するためのＩＤ番号を記憶させたものである。
【００１８】
詳細には、監視制御システムの各操作員は、この第１の無線タグ７を携帯しており、この監視制御装置１Ａで、後述する予め登録される操作員登録ファイルを参照して認証されることで、この監視制御システムの操作権が操作員ごとに個別に与えられるようになっている。
【００１９】
なお、第１の無線タグ７は、常時携帯することが必要となるため、各操作員の名札に第１の無線タグが埋め込まれた形状のもので構成することが、携帯忘れを防止の点で望ましい。
【００２０】
監視制御装置１Ａは、監視制御部１と、操作員が監視する監視情報を表示させ、また、操作員が操作する表示操作部２０とからなる。
【００２１】
次に、この監視制御装置１Ａの構成について説明する。監視制御部１は、制御装置２で制御されるプラント６Ａの監視を行うもので、システムバス１１ａと、システムバス１１ａに接続されるネットワーク４との通信インタフェース部１２ａと、記憶部１３と、この監視制御システムの各部を制御する演算部１４と、第１の無線タグの読み取り部１７とからなる。
【００２２】
また、この監視制御システムの監視制御情報を表示させ、表示された監視画面を操作する操作員のマンマシンインタフェースである表示操作部２０は、データ入力部１８と画面表示部１９とからなる。
【００２３】
そして、データ入力部１８は、キーボード１８ａ１及びマウス１８ａ２からなり、これらの入力ツールインタフェース部１５ａを介してシステムバス１１ａに接続され、記憶部１３及び演算部１４各種のデータや制御指令が入力される。
【００２４】
また、画面表示部１９は、ＣＲＴ１９ａ１等の大型スクリーンを備える複数の表示手段で構成され、表示される異常情報を含む監視制御情報を表示する画面表示部１９は、表示インタフェース部１６ａを介しシステムバス１１ａに接続され、異常情報を含む監視制御情報やこの監視制御部１で処理する制御情報が表示される。
【００２５】
このＣＲＴ１９ａ１は、複数の画面を同時に表示することが必要な場合には、複数のＣＲＴ１９ａ１で構成される。
【００２６】
また無線タグ読み取り部１７は、通常、データ入力部１８及び画面表示部１９を配置するこの監視制御システムの操作員の操作デスク等に設けられ、タグインタフェース１７ａを介してシステムバス１１ａに接続され、操作員が携帯する第１の無線タグ７のＩＤ番号を演算部１４に送信する。
【００２７】
次に、制御装置２は、プラント６Ａに設置されるセンサやポンプなどのプラント機器５１を制御する制御プログラムを内蔵する制御コントローラで、例えば、ＰＬＣ（Programmable Logic Controller）等で構成される。
【００２８】
次に、監視制御部１の記憶部１３及び演算部１４の詳細構成について説明する。記憶部１３は、この監視制御システムを監視制御する各種のデータが記憶されるもので、不揮発性メモリで所定の記憶容量を備えたもので構成される。
【００２９】
夫々の記憶部１３は、この監視制御システムの夫々の操作員が携帯する第１の無線タグ７のＩＤ番号と監視制御システムを構成する各種の操作機能の操作権の有無及び操作機能毎のセキュリティレベルの重要性とを対応付けて予め登録された操作員登録ファイル１１０、操作員が不在である場合に緊急通報するための通報先を予め登録した通報先登録ファイル１２０、及びこの監視制御システムの異常情報を蓄積した異常情報ファイル１４０を備えている。
【００３０】
また、操作員登録ファイル１１０には、発生した異常情報に対応する操作権を対応付けたファイルとしておくことで、異常発生時の操作員の在席不在席及び異常情報に対する操作権の有無の認証と判定とを速やかに行なうことが出来る。
【００３１】
さらに、操作員登録ファイル１１０には、監視制御システムの監視や操作は行わないが、夜間等の警備を行うための夜間警備員も予め「夜間警備員」として登録するようにしても良い。
【００３２】
「夜間警備員」を登録することで、夜間等に監視制御装置１Ａに近づいた人がいた場合、図示しない他の人感センサを備えることで、夜間警備員が不在時にこの人感センサの出力があった場合には夜間警備員と不審侵入者とを識別して検知することもできる。
【００３３】
演算部１４は、無線タグ読み取り部１７が第１の無線タグ７信号を受信して、この読み取られたＩＤ番号から、予め登録された操作員登録ファイル１１０を参照して、該当するＩＤ番号が存在するか否かを判定し、いずれの操作権を有する操作員であるかを認証する認証処理部１４ａと、無線タグ読み取り部１７から操作員のＩＤ番号が検知されない場合に、通報先登録ファイル１２０に登録された通報先を読み出し、通報先に通報を指令する通報先処理部１４ｂとを備える。
【００３４】
さらに、この監視制御システムで検出される異常が発生した場合に、その異常発生の内容、即ち、検出された異常の内容や異常発生時のシステムの運転状態の経緯等の監視制御情報を異常情報ファイル１４０に記憶し、異常内容を予め設定された画面表示部１９、ネットワーク４に接続される制御装置２や監視制御装置１Ａの端末２１ａに送信する異常処理部１４ｃと、異常情報を含む監視情報を表示する表示制御部１４ｄとからなる。
【００３５】
次に、演算部１４の各部の機能の詳細設定について説明する。各部の設定機能は、画面表示部１９に表示される設定画面を使用して、データ入力部１８を操作して設定される。
【００３６】
認証処理部１４ａは、第１の無線タグ７と、第１の無線タグ７信号を読み取る無線タグ読み取り部１７と、読み取られた第１の無線タグ７信号からＩＤ信号抽出し、操作員登録ファイル１１０を参照して、該当する操作員であるか否かを認証処理するものである。
【００３７】
この認証処理部１４ａは、この監視制御システムの運転操作のセキュリティ機能を実現するためのもので、認証された操作員に対して操作員登録ファイル１１０に登録されたこの監視制御システムの各部の操作機能に対する操作権を自動的に設定する。
【００３８】
また、認証方法は、顔認証や指紋認証などの人体認証方法による認証方法で代替することも可能である。
【００３９】
また、操作員登録ファイル１１０には、操作員ごとのＩＤ番号と、このＩＤ番号に対応して、この監視制御システムの各種の操作機能について操作員ごとの操作権をテーブルにして予め記憶しておく。
【００４０】
また、このテーブルには、操作員ごとのＩＤ番号と、このＩＤ番号に対応して、この監視制御システムで検出される各種の異常情報に対する操作員ごとの操作権をテーブルにして予め記憶しておく。
【００４１】
このような操作員の権限の設定は表示制御部１４ｄで制御され、例えば、画面表示部１８の表示画面から、例えば、図２に示すように操作員毎に自動表示の許可とその画面の種類または自動表示禁止を設定するように構成することもできる。
【００４２】
また、無線タグ読み取り部１７で複数の操作員の存在が検知された場合には、操作員ごとにセキュリティレベルの高低を予め定めておいて、表示画面を自動的にセキュリティレベル（重要性の）高い方、またはセキュリティレベルの（重要性の）低い方に自動的に切り替えて設定することも可能である。
【００４３】
また、自動表示禁止が設定されると自動表示は出来ないようになる。
【００４４】
このような設定をすることで、例えば、操作員Ａが操作権を有するメニュー画面図３（ａ）と操作員Ａよりも多くの操作権を有する操作員Ｂが操作権を有するメニュー画面図３（ｂ）とを自動的に切替えて表示させることができる。
【００４５】
即ち、この例では、このメニュー画面には、６種類の操作画面があるが、グループ表示画面、データメンテナンス画面、システム状態画面及び管理ツールの操作は、操作員Ｂに与えられて、操作員Ａにはその操作権がないので表示されない。
【００４６】
また、図４に示すように、例えば、操作員Ａの存在が検知されると、操作員Ａが操作権を有する運転監視画面図４（ａ）が、操作員Ｂの存在が検知されるとその操作権を有するシステム状態画面図４（ｂ）が自動的に表示され，検知されない場合には、これらの画面はロック状態になり操作権がない状態となる。
【００４７】
また、通報先処理部１４ｂは、認証処理部１４ａで監視制御装置１Ａの操作員が不在だと判断した場合、当該操作員への通報先を、通報先登録ファイル１２０を参照して予め登録された不在時の通報先に送信される。
【００４８】
この通報先登録ファイル１２０には、図５に示すように、各操作員がこの監視制御システムの無線タグ読み取り部１７で読み取りできないエリア（監視制御装置１Ａが設置される監視室）に在って、即ち、不在時に異常が発生した場合の緊急通報先を予め登録しておく。
【００４９】
例えば、その携帯電話番号、ＦＡＸ番号及び監視制御装置１Ａの端末２１ａの電子メール番号が予め登録される。
【００５０】
次に、このように構成、設定された監視制御システムを制御する監視制御装置１Ａの異常発生時の処理動作について、図６を参照して説明する。
【００５１】
先ず、監視制御装置１Ａを起動すると、この監視制御システムを運転する複数の操作員について、所定の単位で、予め設定された操作員が監視制御装置１Ａの設けられる監視室内に存在するか否かの認証が認証処理部１４ａで行われる。
【００５２】
この処理は、例えば、この監視制御装置１Ａの所定の制御周期単位で行われ、無線タグ読み取り部１７で読み取られた複数の第１の無線タグ番号を受信して、予定された各操作員の在席、不在席が判定される。
【００５３】
この在席、不在席は検出された無線タグ信号について、操作員登録ファイル１１０を参照して、予め定められたこの監視制御システムを運転する操作員のＩＤ番号と一致した場合には在席と認証され、認証された操作員の操作権が許可される。
【００５４】
そして、予め登録された図示しない日割りで運転グループ員を割り付けした運転操作員登録ファイルを参照して、この監視制御システムの運転に必要な操作員の在席が認証されると、当該操作員の操作した監視画面が表示され、操作記録が記憶部１３に記憶される。
【００５５】
この運転操作員登録ファイルは、操作員登録ファイルを拡張した同じテーブルに記憶するようにしても良いし、個々に作成してもいずれでも良い。
【００５６】
通常、連続運転される監視制御システムにおいては、例えば、交代勤務の操作員の勤務予定が予め決められるので、操作員とその操作記録及び異常発生時の異常情報とを対応付けて後述する異常ファイル１４０に自動的に記録される。
【００５７】
そして、監視制御システムの運転中の異常は、異常処理部１４ｃで、図６に示すように処理される。
【００５８】
異常処理部１４ｃでは、異常が検出される（ｓ１）とこの異常情報を異常情報ファイル１４０に記憶する（ｓ２）とともに、この異常情報を認証処理部１４ａに通知し、認証処理部１４ａでは、この異常情報に対応できる操作権を有する操作員の在席を、無線タグ読み取り部１７で検出されるＩＤ番号を検出して、操作員登録ファイル１１０を参照して判定し、在席していない（ｓ３）場合、認証処理部１４ａから該当する操作員の不在を通報先処理部１４ｂに通知し、通報先処理部１４ｂから登録されている操作員への通報先への通報する（ｓ５）。
【００５９】
ＩＤ番号が検出された場合には、そのＩＤ番号が夜間警備員か否かを判定する。認証処理部１４ａでは検出されたＩＤ番号が夜間警備員の場合、操作員登録ファイル１１０を参照して該当する操作員が不在であることを、通報先処理部１４ｂに通報する（ｓ４）。
【００６０】
すると、この登録された通報先、例えば、操作員が所有する端末２１ａに広域網を介して異常の発生が緊急通報される。
【００６１】
そして、異常の発生を通報された操作員は、その通報手段の応答として、この監視制御装置１Ａにネットワーク４を介して自身のＩＤ番号を入力して応答返信するか、電話等により応答して、プラント６Ａに駆けつける。端末２１ａで応答した場合、その返信されたＩＤ番号が操作権を有する該当する操作員のＩＤ番号か否かを認証処理部１４ａで認証し、異常処理部１４ｃに正しい応答があったことを通知する。
【００６２】
そして、異常処理部１４ｃでは、その端末５に異常情報ファイル１４０を参照して、該当する異常情報を端末２１ａに送信する。
【００６３】
そして、異常処理部１４ｃは、この異常に対応する操作権を有する操作者が、異常処置を実行し、異常処置が完了したことを通知されると、この監視制御システムの異常発生が検出されていないことを確認して、運転を再開する（ｓ６）。
【００６４】
以上述べたように、監視制御システムに異常が発生した場合に、監視室に置かれる無線タグ読み取り部１７で、予め設定される監視制御システムの操作員を認証する第１のＩＤ番号が検知できなかった場合、この監視制御システムを運転する当該操作員が不在だと判断して、該当する操作員の通報先に、緊急通報し、緊急通報を受けた、操作者は、端末２１ａから応答を返すことによって、監視制御装置１Ａから発生した異常情報の送信を自動受信し、この端末２１ａから異常処置を実行する。
【００６５】
したがって、監視制御システムに異常が発生した場合の異常情報が遅滞無く、操作権を有する操作者が存在する端末２１ａに送信されるので、異常時の処置が素早く実行できる。
【実施例２】
【００６６】
図７は、本発明の実施例２に係る監視制御システムの構成図で、実施例２の各部について、図１に示す実施例１の各部と同一部分は同じ番号を付し、その説明を省略する。
【００６７】
この実施例２が実施例１と異なる点は、接続される広域網２１を介してネットワーク４に接続される監視センターサーバ２２を備えていることにある。
【００６８】
この監視センターサーバ２２は、操作員登録ファイル１１０と異なる、緊急度の高い異常に備える要員を予め登録した緊急支援操作員登録ファイル２１０を備えている。
【００６９】
このように構成された実施例２は、夜間等、監視制御システムが少数の操作員で運転されている時にプラント６Ａで異常が発生し、この異常に対して緊急支援の要請が必要な場合に適用される。
【００７０】
この場合、認証処理部１４ａで操作員の不在を認識した場合、通報先処理部１４ｂは、操作員登録ファイル１１０を参照し、且つ、発生した異常情報に対応した操作員不在時の通報先に通報する。
【００７１】
この異常情報が予め登録されたレベル以上の異常情報の場合、支援要員の派遣が必要になる。この場合、自監視制御システムの操作員を登録した操作員登録ファイル１１０に登録された要員からの応答がなく、要員の派遣が緊急に必要となった場合、通報先処理部１４ｂは、要員派遣の要請を監視センターサーバ２に送信する。
【００７２】
すると、監視センターサーバ２２は、緊急支援操作員登録ファイル２１０を参照して、通報された異常情報に対応する操作員へ派遣の指示を、予め定められた夫々の通報先に送信する。
【００７３】
そして、プラント６ａに支援操作員が派遣され、異常時の支援作業が行なわれる。
【００７４】
したがって、監視制御システムに異常が発生し操作員が不足する場合に、監視センターサーバから緊急時の支援操作員を自動的に派遣でき、異常情報の緊急度のレベルに応じた対応が可能となる。
【実施例３】
【００７５】
図８は、本発明の実施例３に係る監視制御システムの構成図である。実施例３の各部について、図１に示す実施例１の各部と同一部分は同じ番号を付し、その説明を省略する。
【００７６】
この実施例３が実施例１と異なる点は、操作権を有する夫々の操作員が運転した期間の異常情報を含む監視制御情報を操作員別に記憶した操作員別画面履歴情報ファイル１５０を記憶部１３に備えるとともに、ネットワーク４に接続されている勤務管理サーバ８を備えたことにある。
【００７７】
通常、連続運転される監視制御システムにおいては、操作員が引継ぎを行う際に、運転中の操作員が表示操作部２０から勤務交代が入力され、且つ、運転中の操作員及び引継ぎの操作員の携帯する第１の無線タグ７のＩＤ番号が認識処理部１４ａを認証されると、認証処理部１４ａは操作員の交代を表示制御部１４ｄ及び勤務管理サーバ８に送信する。
【００７８】
すると、表示制御部１４ｄは、操作員別画面履歴情報ファイル１５０を参照して、交代前の操作員が運転していた期間の監視制御情報を時系列に、表示操作部２０に表示させる。
【００７９】
例えば、図９に示すように異常の発生情報と、交代前の操作者の操作履歴とを対応付けて引き継ぎ画面として表示されるようにしておくこともできる。
【００８０】
また、勤務管理サーバ８は、送信された操作員の交代時刻から操作員の勤務を記憶する。この勤務交代時刻や勤務時間が予め設定された勤務時間と異なることを判定して、操作員の勤務異常を検知するようにすることもできる。
【００８１】
本実施例２によれば、操作員の勤務交代時に前任者の運転した期間の監視制御情報から異常情報を自動的に表示させることができるので、引継ぎ時の情報の伝達漏れが防止される。
【００８２】
また、交代時刻の記録から、操作員の勤務時間の異常状態判定することもできるので、操作員の勤務の安全管理がし易くなる。
【実施例４】
【００８３】
図１０は、本発明の実施例４に係る監視制御システムの構成図で、実施例４の各部について、図１に示す実施例１の各部と同一部分は同じ番号を付し、その説明を省略する。
【００８４】
この実施例４が実施例１と異なる点は、制御装置２とプラント機器５１の間に監視制御１Ａの現場操作端末２５を設け、さらに、この現場操作端末２５に、表示部２６と第２の無線タグ読み取り部２７とを設けたことにある。
【００８５】
本実施例４では、現場操作端末２５に備えた第２の無線タグ読み取り部２７が、操作者の第１の無線タグ７を読み取り、この現場操作端末２５から送信された無線タグ信号から該当する操作者であることが認証処理部１４ａで認証されると、現場操作端末２５での操作権が許可され、表示操作部２０に表示されるものと同じ監視制御画面が表示部２６に表示される。
【００８６】
したがって、プラント６Ａの現場での操作においても、セキュリティを確保した異常処置が可能となる。
【実施例５】
【００８７】
図１１は、本発明の実施例５に係る監視制御システムの構成図で、実施例５の各部について、図１０に示す実施例４の各部と同一部分は同じ番号を付し、その説明を省略する。
【００８８】
この実施例５が実施例４と異なる点は、監視制御部１の演算部１４に機器操作権設定部１４ｅを設け、プラント６Ａでプラント機器５１を操作者等が作業をする場合に、現場操作端末２５からの操作に優先権を設定し、監視制御部１他の装置からの操作を禁止するようにしたことにある。
【００８９】
このような構成での異常処理動作について説明する。監視制御装置１Ａで操作員がプラント機器５１の異常信号を検出した場合、操作員が監視制御装置１Ａからの操作では異常処理が出来ないと判断し、プラント６Ａのプラント機器５１の設置場所に確認にいく。
【００９０】
この時、操作員は第１の無線タグ７を携帯しているため、現場操作端末２５に備えた第２の無線タグ読み取り部２７でこの操作員を検出する。
【００９１】
そすると、現場端末装置２５は、読み取ったＩＤ番号を制御装置２、ネットワーク４を介して、監視制御部１に送信する。
【００９２】
監視制御部１では、送信された第１の無線タグ７信号から読み取ったＩＤ番号が演算部１４の認証処理部１４ａで認証されと、認証処理部１４ａから現場操作端末２５からＩＤ番号の認証があったことを機器操作権設定部１４ｅ送信し、機器操作権設定部１４ｅは、プラント機器５１の操作権を現場操作端末２５に設定する。
【００９３】
この状態で、監視制御装置１Ａの別の操作員が、プラント機器５１の異常に気付いて操作表示部２０から操作を行おうとすると、機器操作権設定部１４ｅからプラント機器５１の操作権が現場操作端末２５に設定されているので、この操作は禁止される。
【００９４】
このため、現場操作端末２５で操作員が作業を行なう場合、監視制御装置１Ａからの操作が禁止されるため、プラント６Ａの現場でプラント機器５１を遠隔にある装置から重複して操作することが無く、作業の安全が確保される。
【実施例６】
【００９５】
図１２は、本発明の実施例６に係る監視制御システムの構成図で、実施例６の各部について、図１に示す実施例５の各部と同一部分は同じ番号を付し、その説明を省略する。
【００９６】
この実施例６が実施例５と異なる点は、プラント機器５１に備える自機器を特定する第２の無線タグ５１ａと、第１の無線タグ信号及びこの第２の無線タグ５１ａを読み取る第３の無線タグ読み取り部３７を備える無線携帯端末６と、ネットワーク４に接続される保守管理サーバ３とを備えたことにある。
【００９７】
このような構成による異常処理動作について説明する。無線携帯端末６でこの第２の無線タグ５１ａの信号を読み取って、この機器の保守情報の送信を現場操作端末２５、制御装置２及びネットワーク４を介して監視制御部１に要求する。
【００９８】
すると、この送信されたＩＤ番号の操作員を認証処理部１４ａで認証し、認証された場合には、保守管理サーバ３に、要求された第２の無線タグ５１ａのＩＤ番号の保守情報の送信を指令し、保守管理サーバ３からこのＩＤ番号の保守説明書や、保守点検履歴データなどの保守情報を無線携帯端末６に送信する。
【００９９】
即ち、保守管理サーバ３には、この監視制御システムを構成する各プラント機器５１のＩＤ番号を予め登録しておき、このＩＤ番号毎の保守説明書や保守点検履歴データなどの保守情報を予め記憶しておく。
【０１００】
そして、無線携帯端末６から送信の要求があった場合その無線携帯端末６送信し、認証された操作員によりプラント６Ａの現場で、ペーパレスで異常処理作業や保守作業が可能となる。
【０１０１】
また、プラント機器５１を操作する現場操作端末２５と同じ機能を備え、プラント機器５１の操作権の設定を無線携帯端末６から設定することも出来る。
【０１０２】
このような無線携帯端末６を備えた監視制御システムは、操作員が多数のプラント機器の中から異常が検出されたプラント機器５１の無線タグ５１ａのＩＤ番号を読み取り、操作の優先権設定を要求し、無線携帯端末６または現場操作端末２５のいずれかで優先操作を可能な状態にして、さらに、送信された機器番号の保守情報に基づいて異常処置をセキュリティを確保して素早く安全に実行することが可能となる。
【０１０３】
本発明は、上述した実施例に何ら限定されるものではなく、各操作員の認証手段と、夫々の前記操作員が有する前記監視制御システムの各種の操作機能及び各種の異常情報に対する操作権と、前記ＩＤ番号とを対応付けて記憶した操作員登録ファイルと、各操作員が不在時の通報先を、予め登録した通報先登録ファイルと、各機器のＩＤ番号を記憶した無線タグとを備え、異常発生時に、操作権を有する操作員への通報、応答する操作員の認証、及び対象とする機器の特定を自動的に行って、操作員が存在する場所に異常情報及び保守情報を送信するように構成する手段を備えたものであれば良く、本発明の主旨を逸脱しない範囲で、その認証手段、異常処理手段、通信手段は種々変形して実施することが可能である。
【０１０４】
また、無線タグのＩＤ番号と操作員の操作権とを対応付けて予め記憶した（第１の）操作員登録ファイルと、端末より入力される操作員ＩＤ番号と操作員の操作権とを対応付けて記憶した(第２の)操作員登録ファイルとを別々の認証処理手段で認証するように構成することも可能であし、無線タグのＩＤ番号と端末の操作員ＩＤ番号とを対応付けて1つの操作員登録ファイルとし、別々の認証処理手段または1つの認証処理手段でこの1つの操作員登録ファイルを参照するように構成することも可能である。
【図面の簡単な説明】
【０１０５】
【図１】本発明による監視制御システムの実施例１の構成図。
【図２】本発明による監視制御システムの操作画面の自動表示設定画面の例。
【図３】本発明による監視制御システムの操作メニュー画面の例。
【図４】本発明による監視制御システムの監視画面の例。
【図５】本発明による監視制御システムの操作者不在時の通報先設定の例。
【図６】本発明による監視制御システムの実施例１の動作フロー図。
【図７】本発明による監視制御システムの実施例２の構成図。
【図８】本発明による監視制御システムの実施例３の構成図。
【図９】本発明による監視制御システムの操作者引継ぎ画面の例。
【図１０】本発明による監視制御システムの実施例４の構成図。
【図１１】本発明による監視制御システムの実施例５の構成図。
【図１２】本発明による監視制御システムの実施例６の構成図。
【符号の説明】
【０１０６】
１Ａ  監視制御装置
１  監視制御部
２  制御装置
３  保守管理サーバ
６  無線携帯端末
６Ａ  プラント
７  第１の無タグ
５１ａ  第２の無線タグ
１１ａ  システムバス
１２ａ  通信インタフェース部
１３  記憶部
１４  演算部
１４ａ  認証処理部
１４ｂ  通報先処理部
１４ｃ  表示制御部
１４ｄ  異常処理部
１４ｅ  機器操作権設定部
１５ａ  入ツールインタフェース部
１６ａ  表示インタフェース部
１７ａ  タグインタフェース
１７  第１の無線タグ読み取り部
２７  第２の無線タグ読み取り部
３７  第３の無線タグ読み取り部
１８  データ入力部
１８ａ１  キーボード
１８ａ２  マウス
１９  画面表示部
１９ａ１  ＣＲＴ
２０  表示操作部
２２  監視センターサーバ
２５  現場操作端末
２６  表示部
５１  プラント機器
１１０  操作員登録ファイル
１２０  通報先登録ファイル
１４０  異常情報ファイル
１５０  操作員別画面履歴ファイル
２１０  緊急支援操作員登録ファイル
【図１】
2007299228.tif 000003
【図２】
2007299228.tif 000004
【図３】
2007299228.tif 000005
【図４】
2007299228.tif 000006
【図５】
2007299228.tif 000007
【図６】
2007299228.tif 000008
【図７】
2007299228.tif 000009
【図８】
2007299228.tif 000010
【図９】
2007299228.tif 000011
【図１０】
2007299228.tif 000012
【図１１】
2007299228.tif 000013
【図１２】
2007299228.tif 000014